(57)【要約】【課題】髪の毛を整理しながら髪の毛を保護する櫛を提供する。【解決手段】繰り返して開閉可能である櫛本体と、複数の櫛針（円頭櫛針や長毛櫛針）を有する櫛針座と、櫛針座に対応する位置に複数の貫通孔が設けられた清潔部とが含有され、櫛針座上の複数の櫛針に、上下に摺動できる短嵌合体が設けられる。、これにより、複数の櫛針と清潔部の貫通孔との位置合わせが簡単であるため、容易に清潔部を櫛針座に実装でき、その後、一体として櫛本体に嵌め込み、また、本考案に係わる清潔部は、剥離可能の、重ね合う清潔ペーパータオルを利用し、また、清潔ペーパータオルを剥離できるため、清潔部に纏い付いた髪の毛を除去でき、また、本考案に係わる清潔部は、海綿や他の液体を吸着できる材料を使用するため、髪の毛を整理する前、精油や保湿液等の液体を清潔部に付けることにより、髪の毛を整理しながら髪の毛を保護する効果が得られる。【選択図】図１Ａ
0003129340.tif 000002
【実用新案登録請求の範囲】
【請求項１】
一端に穴の壁面が下から上へ少しずつ中央へ傾く斜面である大きい貫通穴が設けられ、もう一端に結合槽が設けられる前蓋と、末端に結合柱が設けられ、中段に突出部が設けられる裏プレートと、が含有される櫛本体と、
当該櫛本体の大きい貫通穴に設置され、上層と底層及び複数の櫛針が含有され、当該上層と底層に、それぞれ、当該櫛針に対応する複数の貫通孔が形成される櫛針座と、
当該櫛本体の大きい貫通穴に合わせて形成され、当該櫛針座の櫛針に対応する複数の貫通孔が形成され、海綿や複数層の清潔ペーパータオル或いは他の液体を吸着できる材料からなり、一面に１層のプラスチック層がある清潔部と、
当該清潔部の対応する貫通孔を通す、短嵌合体と係合部、針体及び円頭部から構成される円頭櫛針や、短嵌合体と係合部、長毛部及び細い紐から構成される長毛櫛針であり、当該短嵌合体が、上下に摺動できるように当該針体に嵌合され、末端に設けられた工字形係合部により当該櫛針座の上層に係止される櫛針と、
が含有される、ことを特徴とする櫛。
【請求項２】
当該大きい貫通穴の一側に連接するように、スライダーを可動的に組み立てるための凹槽が形成され、当該スライダーにおいて、一端に、突出部が設置され、また、連動板があり、当該連動板に、可動的に推し板が設置されることを特徴とする請求項１に記載の櫛。
【考案の詳細な説明】
【技術分野】
【０００１】
本考案は、櫛に関し、特に、容易に櫛針座に纏い付いた髪の毛を除去して清潔でき、また、常に髪の毛の保養や保湿等を行える櫛に関する。
【背景技術】
【０００２】
櫛は、個人の容貌を整理するための必要の道具であり、一般として、手で握るための握り部と、髪の毛を整理するための櫛針座との２部分からなり、当該櫛針座に設置された、等間隔を開けた櫛針等により、髪の毛を整理する。
【０００３】
櫛を所定の時間に使用すると、当該櫛針に、髪の毛が纏い付くため、衛生の問題があり、従来のやり方としては、ユーザーが、所定の時間に使用してから、直接に手や細長い道具で、櫛針に纏い付いた髪の毛を除去して、櫛針を清潔することができるが、上記の方法によると、何回も繰り返さなければ、櫛針に纏い付いた髪の毛を除去できなく、実に不便である。
【０００４】
上記の問題点を解消するために、例えば、中華民国専利公告Ｍ２７９２３５号「髪の毛除去板付きの櫛」が提案され、図４のように、当該髪の毛除去板付きの櫛は、櫛本体４１と髪の毛除去板４２とが含有され、櫛本体４１は、複数の櫛針４１１が設けられ、当該髪の毛除去板４２は、櫛本体４１に対応して成形され、また、板面に、当該複数の櫛針４１１を通すための対応する複数の貫通孔４２１が設けられ、そのため、櫛針４１１に沿って移動できる。
【０００５】
上記の従来の方法によっては、櫛上の髪の毛を除去できるが、当該髪の毛除去板は、櫛針に沿って移動できるが、外して清潔することができないため、長時間に使用されると、除去されない髪の毛や埃が堆積することが多い。そのため、一般の従来のものは、実用とは言えない。
【特許文献１】中華民国専利公告Ｍ２７９２３５号
【考案の開示】
【考案が解決しようとする課題】
【０００６】
本考案の主な目的は、使用が便利で、簡単に櫛針座に纏い付いた髪の毛を除去して清潔できる櫛を提供する。
【０００７】
本考案の他の目的は、組立てが簡単で、容易に櫛針座を清潔できる櫛を提供する。
【課題を解決するための手段】
【０００８】
請求項１の考案は、一端に穴の壁面が下から上へ少しずつ中央へ傾く斜面である大きい貫通穴が設けられ、もう一端に結合槽が設けられる前蓋と、末端に結合柱が設けられ、中段に突出部が設けられる裏プレートと、が含有される櫛本体と、当該櫛本体の大きい貫通穴に設置され、上層と底層及び複数の櫛針が含有され、当該上層と底層に、それぞれ、当該櫛針に対応する複数の貫通孔が形成される櫛針座と、当該櫛本体の大きい貫通穴に合わせて形成され、当該櫛針座の櫛針に対応する複数の貫通孔が形成され、海綿や複数層の清潔ペーパータオル或いは他の液体を吸着できる材料からなり、一面に１層のプラスチック層がある清潔部と、当該清潔部の対応する貫通孔を通す、短嵌合体と係合部、針体及び円頭部から構成される円頭櫛針や、短嵌合体と係合部、長毛部及び細い紐から構成される長毛櫛針であり、当該短嵌合体が、上下に摺動できるように当該針体に嵌合され、末端に設けられた工字形係合部により当該櫛針座の上層に係止される櫛針と、が含有されることを特徴とする櫛である。
【０００９】
請求項２の考案は、当該大きい貫通穴の一側に連接するように、スライダーを可動的に組み立てるための凹槽が形成され、当該スライダーにおいて、一端に、突出部が設置され、また、連動板があり、当該連動板に、可動的に推し板が設置されることを特徴とする請求項１に記載の櫛である。
【考案を実施するための最良の形態】
【００１０】
図１Ａ〜１Ｉは、それぞれ、本考案の第１の実施例の立体外観概念図と本考案の第１の実施例の櫛本体の部品分解概念図、本考案の第１の実施例の櫛針座の部品分解概念図、本考案に係わる櫛針の拡大概念図、本考案に係わる清潔部の外観概念図、本考案に係わる清潔部が櫛針座に結合される時の使用概念図、本考案の第１の実施例の清潔部の他の表面概念図及び本考案の第１の実施例の他の使用状態概念図である。
【００１１】
図のように、本考案は、櫛であり、少なくとも、櫛本体１と、複数の櫛針２２を有する櫛針座２と、当該櫛針座２に合わせて、複数の櫛針２２に対応する複数の貫通孔３１が形成される清潔部３とから構成される。
【００１２】
当該櫛本体１は、同じ輪郭を有する前蓋１０と裏プレート１１が含有され、当該前蓋１０と当該裏プレート１１との一端が、枢支軸により互いに枢着されているため、当該前蓋１０と当該裏プレート１１は、開閉可能になり、当該前蓋１０は、一端に、穴の壁面が下から上へ少しずつ中央へ傾く斜面である大きい貫通穴１００が設けられ、また、一側に、スライダー１０２が可動的に組み立てられる凹槽１０１が連接され、もう一端に、結合槽１０３が設けられ、また、当該裏プレート１１は、中段に、バネである突出部１１１が設けられ、底端に、当該前蓋１０の結合槽１０３と嵌合するための結合柱１１２が設けられる。
【００１３】
当該櫛針座２は、前蓋１０の大きい貫通穴１００に合わせて設けられ、上層２０と底層２１及び複数の櫛針２２から構成され、当該上層２０と底層２１に、ともに、当該櫛針２２に対応するように、複数の貫通孔が設けられ、また、当該櫛針２２は、それぞれ、短嵌合体２２１と係合部２２２、針体２２３及び円頭部２２４から構成され、当該針体２２３は、一端に、当該櫛針座２の底層２１に係合するための工字形の係合部２２２が連接され、もう一端に、当該円頭部２２４が連接され、当該短嵌合体２２１は、大きいスリーブ２２１１と、末端に突出部２２１３が設けられた小さいスリーブ２２１２とから構成され、当該針体２２３を上下に摺動するように当該針体２２３に嵌合され、そして、当該櫛針座２の上層２０に係合され、各櫛針２２は、櫛針座２の上層２０の貫通孔を通して、当該短嵌合体２２１の大きいスリーブ２２１１により、当該円頭部２２４に嵌合して、上層２０の貫通孔に係合し、これにより、短嵌合体２２１に嵌合された円頭部２２４が、上層２０上方から露出できる。
【００１４】
当該清潔部３は、上記の当該櫛針座２と同じように、当該前蓋１０の大きい貫通穴１００に合わせて設けられ、本実施例において、清潔部３は、多数層の剥離可能の清潔ペーパータオルからなり、当該清潔部３は、一側に、長方形の剥離部３０が設けられ、また、外コイル部３２と内コイル部３３があり、当該外コイル部３２により、当該櫛本体１の大きい貫通穴１００の斜面に固定され、当該内コイル部３３が、当該剥離部３０と一緒に剥離されることができ、また、当該清潔部３は、当該櫛針座２の櫛針２２に対応する貫通孔３１が設けられ、また、各清潔ペーパータオルは、一面にフィルム層３４があり（図１Ｇのように）、ユーザーが、髪の毛が濡れている時に使用する場合、フィルム層３４により隔離でき、重ね合う清潔ペーパータオルが髪の毛の水分を吸収して濡れてしまうことはない。
【００１５】
そして、当該清潔部３を、当該組み立てられた櫛針座２の上層２０に実装し、当該清潔部３に位置する貫通孔３１に、それぞれ、短嵌合体２２１と円頭部２２４を通し、そして、当該底層２１に対して上へ力を印加することにより、当該櫛針２２が当該清潔部３を通して、当該上層２０と底層２１とが、重ね合うようになって、清潔部３を有する櫛針座２が完成される。
【００１６】
そして、清潔部３を有する櫛針座２を、櫛本体１の前蓋１０の大きい貫通穴１００に嵌め込み、また、当該清潔部３の剥離部３０が凹槽１０１に収納されるようにしてから、裏プレート１１の結合柱１１２を当該前蓋１０の結合槽１０３に結合すると、本実施例の組立てが完成される。
【００１７】
本実施例は、所定の時間に使用されると、清潔部３上の櫛針２２に髪の毛が纏い付いた場合、前蓋１０のスライダー１０２を後へ推すと、当該清潔部３の剥離部３０が突出部１１１によって抵当され、更に、当該スライダー１０２を前へ推すと、当該剥離部３０が、当該スライダー１０２に連動されて立ち上がり、これにより、ユーザーは、内コイル部３３に沿って、簡単に剥離でき、また、当該清潔部３を剥離することにより、当該櫛針２２に纏い付いた髪の毛も、一緒に剥離され、これにより、当該櫛針座２は、常に清潔状態に保つことができる。
【００１８】
また、図１Ｈ及１Ｉを参照しながら、スライダー１０２ａの一端に突出部１１１ａと、可動的に推し板１１４が設置された連動板１１３を設置してもよく、清潔部３を除去する時、推し板１１４を後へ推して、連動板１１３が、推し板１１４に連動されて後へ移動し、同時に、突出部１１１ａが、連動板１１３により後へ引張られて、突出部１１１ａの端縁が、剥離部３０の端縁に対応するようになり、そして、突出部１１１ａによって抵当され、その後、更に、当該推し板１１４を前へ推すことにより、同時に連動板１１３とスライダー１０２ａを推し、これにより、当該剥離部３０が、当該スライダー１０２ａによって抵当されて剥離できるようになり、この時、推し板１１４が、スライダー１０２ａに覆うようになり、これにより、ユーザーは、内コイル部３３に沿って、簡単に剥離でき、また、当該清潔部３を剥離することにより、当該櫛針２２に纏い付いた髪の毛も、一緒に剥離され、これにより、当該櫛針座２は、常に清潔状態に保つことができる。
【００１９】
図２Ａ〜２Ｅは、それぞれ、本考案の第２の実施例の立体外観概念図と本考案の第２の実施例の櫛本体の部品分解概念図、本考案の第２の実施例の櫛針（円頭櫛針）の拡大概念図、本考案の第２の実施例の清潔部の外観概念図及び本考案の第２の実施例の清潔部が櫛針座に結合される時の使用概念図である。図のように、本考案は、櫛であり、少なくとも、櫛本体１ａと、複数の櫛針２２ａを有する櫛針座２ａと、当該櫛針座２ａに合わせて、対応する位置にある複数の貫通孔３１ａを有する清潔部３ａとから構成される。
【００２０】
当該櫛本体１ａは、同じ輪郭を有する前蓋１０ａと裏プレート１１ａが含有され、当該前蓋１０ａと当該裏プレート１１ａとの一端が、枢支軸により互いに枢着されているため、当該前蓋１０ａと当該裏プレート１１ａは、開閉可能になり、当該前蓋１０ａは、一端に、穴の壁面が下から上へ少しずつ中央へ傾く斜面である大きい貫通穴１００ａが設けられ、もう一端に、結合槽１０３ａが設けられ、また、当該裏プレート１１ａは、末端に、当該前蓋１０ａの結合槽１０２ａと嵌合するための結合柱１１２ａが設けられる。
【００２１】
当該櫛針座２ａは、前蓋１０ａの大きい貫通穴１００ａに合わせて設けられ、上層２０ａと底層２１ａ及び複数の櫛針２２ａから構成され、当該上層２０ａと底層２１ａに、ともに、当該櫛針２２ａに対応するように、複数の貫通孔が設けられる。当該櫛針２２ａは、それぞれ、短嵌合体２２１ａと係合部２２２ａ、針体２２３ａ及び円頭部２２４ａから構成され、当該針体２２３ａは、一端に、当該櫛針２２ａが当該櫛針座２の底層２１ａに係合するための工字形の係合部２２２ａが連接され、もう一端に、当該円頭部２２４ａが連接され、当該短嵌合体２２１ａは、小さいスリーブ２２１２ａと工字形係合部２２１３ａから構成され、当該針体２２３ａを上下に摺動するように当該針体２２３ａに嵌合され、そして、当該櫛針座２ａの上層２０ａに係合され、各櫛針２２ａは、櫛針座２ａの上層２０ａの貫通孔を通して、上層２０ａの貫通孔に係合し、これにより、櫛針２２ａの円頭部２２４ａが、上層２０上方から露出できる。
【００２２】
当該清潔部３ａは、当該前蓋１０ａの大きい貫通穴１００ａに合わせて設けられ、本実施例において、清潔部３ａは、海綿からなるが、他の液体を吸着できる材料から構成されても良く、当該清潔部３ａは、当該櫛針座２ａの櫛針２２ａに対応する位置に、貫通孔３１ａが設けられ、また、清潔部３ａを囲む凸縁部３２ａがあり、当該凸縁部３２ａは、当該櫛本体１ａの大きい貫通穴１００ａの斜面に固定される。
【００２３】
そして、当該清潔部３ａを、当該組み立てられた櫛針座２ａの上層２０ａに実装し、当該清潔部３ａに位置する貫通孔３１ａに、それぞれ、短嵌合体２２１ａと円頭部２２４ａを通し、そして、当該底層２１ａに対して上へ力を印加することにより、当該櫛針２２ａが当該清潔部３ａを通して、当該上層２０ａと底層２１ａとが、重ね合うようになって、清潔部３を有する櫛針座２ａが完成される。
【００２４】
そして、清潔部３ａを有する櫛針座２ａを、櫛本体１ａ前蓋１０ａの大きい貫通穴１００ａに嵌め込み、そして、裏プレート１１ａの結合柱１１２ａが当該前蓋１０ａの結合槽１０３ａに結合されることにより、本実施例の組立てが完成される。
【００２５】
本実施例において、清潔部３ａが海綿であるため、液体を吸着でき、髪の毛を整理する時、精油や保湿液或いは保養液を清潔部３ａに付着して使用すると、手が精油や保湿液或いは保養液に接触しなくても済み、また、清潔部３ａ上の櫛針２２ａに纏い付いた髪の毛を除去する時や清潔部３ａを清潔する時、櫛本体１ａの前蓋１０ａと裏プレート１１ａとを分離して、清潔部３ａを取り出すと、当該櫛針２２ａに纏い付いた髪の毛が、当時に除去され、そして、新しい清潔部３ａを交換でき、これにより、当該櫛針座２ａは、常に清潔状態に保つことができる。
【００２６】
図３は、本考案の長毛櫛針の拡大概念図である。図のように、上記の第１、第２の実施例の櫛針の代わりに、長毛櫛針２２ｂを使用し、各長毛櫛針２２ｂは、短嵌合体２２１ｂと係合部２２２ｂ、長毛部２２３ｂ及び細い紐２２５ｂから構成され、当該係合部２２２ｂは、工字形で、櫛針座の底層に係合できるように、長毛部２２３ｂの末端に設けられ、当該短嵌合体２２１ｂは、末端に工字形係合部２２１３ｂが設けられる小さいスリーブ２２１２ｂで、櫛針座の上層に係合でき、また、当該長毛部２２３ｂを上下に摺動できるように、当該長毛部２２３ｂを囲み、また、当該係合部２２２ｂと短嵌合体２２１ｂとは、細い紐２２５ｂにより連接され、これにより、短嵌合体２２１ｂと長毛部２２３ｂとが脱離することを防止できる。
【００２７】
以上の説明から分かるように、本考案に係わる櫛によれば、短嵌合体により、円頭部や長毛部を囲って櫛針や長毛櫛針が上下に摺動できるようになり、そのため、快速的に清潔部を実装でき、また、清潔部に使用され、重ね合う清潔ペーパータオルに、剥離部が設けられるため、櫛本体の前蓋に位置するスライダーを移動させることにより、ユーザーが、簡単にそれを剥離でき、常に櫛針座を清潔状態に保ち、また、清潔部に使用される海綿により、精油や保湿液或いは保養液等の液体が吸着され、髪の毛の整理や保養がより便利になり、そのため、本考案が、より進歩的且つより実用的であるものだから、法に従って実用新案登録請求を出願する。
【００２８】
以上は、ただ、本考案のより良い実施例であり、本考案は、それによって制限されることがなく、また、本技術を良く分かる熟練者により、等価の変更や修正は、全てが、本考案に係わる実用新案登録請求の範囲内に含まれる。
【図面の簡単な説明】
【００２９】
【図１Ａ】本考案の第１の実施例の立体外観概念図
【図１Ｂ】本考案の第１の実施例の櫛本体の部品分解概念図
【図１Ｃ】本考案の第１の実施例の櫛針座の部品分解概念図
【図１Ｄ】本考案の第１の実施例の櫛針（円頭櫛針）の拡大概念図
【図１Ｅ】本考案の第１の実施例の清潔部の外観概念図
【図１Ｆ】本考案の第１の実施例の清潔部が櫛針座に結合された時の使用概念図
【図１Ｇ】本考案の第１の実施例の清潔部の他の斜面概念図
【図１Ｈ】本考案の第１の実施例の他の使用状態概念図
【図１Ｉ】本考案の第１の実施例の他の使用状態概念図
【図２Ａ】本考案の第２の実施例の立体外観概念図
【図２Ｂ】本考案の第２の実施例の櫛本体の部品分解概念図
【図２Ｃ】本考案の第２の実施例の櫛針（円頭櫛針）の拡大概念図
【図２Ｄ】本考案の第２の実施例の清潔部の外観概念図
【図２Ｅ】本考案の第２の実施例の清潔部が櫛針座に結合された時の使用概念図
【図３】本考案に係わる櫛針（長毛櫛針）の拡大概念図
【図４】従来の構造の断面概念図
【符号の説明】
【００３０】
（本考案）
１、１ａ            櫛本体
１０、１０ａ        前蓋
１００、１００ａ    大きい貫通穴
１０１              凹槽
１０２、１０２ａ    スライダー
１０３、１０３ａ    結合槽
１１、１１ａ        裏プレート
１１１、１１１ａ    突出部
１１２、１１２ａ    結合柱
１１３              連動板
１１４              推し板
２、２ａ            櫛針座
２０、２０ａ        上層
２１、２１ａ        底層
２２、２２ａ        櫛針
２２ｂ              長毛櫛針
２２１、２２１ａ、２２１ｂ  短嵌合体
２２１１            大きいスリーブ
２２１２、２２１２ａ、２２１２ｂ  小さいスリーブ
２２１３            突出部
２２１３ａ、２２１３ｂ      工字形係合部
２２２、２２２ａ、２２２ｂ  係合部
２２３、２２３ａ            針体
２２３ｂ                    長毛部
２２４、２２４ａ            円頭部
２２５ｂ                    細い紐
３、３ａ          清潔部
３０              剥離部
３１、３１ａ      貫通孔
３２              外コイル部
３２ａ            凸縁部
３３              内コイル部
３４              フィルム層
（従来）
４１              櫛本体
４１１            櫛針
４２              髪の毛除去板
４２１            貫通孔
【図１Ａ】
0003129340.tif 000003
【図１Ｂ】
0003129340.tif 000004
【図１Ｃ】
0003129340.tif 000005
【図１Ｄ】
0003129340.tif 000006
【図１Ｅ】
0003129340.tif 000007
【図１Ｆ】
0003129340.tif 000008
【図１Ｇ】
0003129340.tif 000009
【図１Ｈ】
0003129340.tif 000010
【図１Ｉ】
0003129340.tif 000011
【図２Ａ】
0003129340.tif 000012
【図２Ｂ】
0003129340.tif 000013
【図２Ｃ】
0003129340.tif 000014
【図２Ｄ】
0003129340.tif 000015
【図２Ｅ】
0003129340.tif 000016
【図３】
0003129340.tif 000017
【図４】
0003129340.tif 000018